(57)【要約】【課題】すべりや摩耗に起因するテーブル体の移動精度の悪化が生じない画期的なテーブル装置の提供。【解決手段】基体１と、この基体１に対して移動するテーブル体２と、前記テーブル体２を移動させる駆動機構３と、前記基体１及び前記テーブル体２の間に設けられ、前記テーブル体２を縦湾曲移動させるための縦湾曲ガイド機構４とを備えたテーブル装置であって、前記駆動機構３は、固定部材５と該固定部材５に対して移動する移動部材６とから成り、前記移動部材６と前記テーブル体２とをリンク機構７により連結し、このリンク機構７により前記移動部材６の移動に応じて前記テーブル体２が前記縦湾曲ガイド機構４によりガイドされて縦湾曲移動するように構成する。【選択図】図１
2018105493.tif 000002
【特許請求の範囲】
【請求項１】
基体と、この基体に対して移動するテーブル体と、前記テーブル体を移動させる駆動機構と、前記基体及び前記テーブル体の間に設けられ、前記テーブル体を縦湾曲移動させるための縦湾曲ガイド機構とを備えたテーブル装置であって、前記駆動機構は、固定部材と該固定部材に対して移動する移動部材とから成り、前記移動部材と前記テーブル体とはリンク機構により連結され、このリンク機構により前記移動部材の移動に応じて前記テーブル体が前記縦湾曲ガイド機構によりガイドされて縦湾曲移動するように構成されていることを特徴とするテーブル装置。
【請求項２】
請求項１記載のテーブル装置において、前記リンク機構を構成するリンク体が前記移動部材を挟むように一対設けられていることを特徴とするテーブル装置。
【請求項３】
請求項２記載のテーブル装置において、前記テーブル体には前記リンク体の一端部が軸着される連結部が設けられ、前記リンク体の他端部が前記移動部材に軸着されていることを特徴とするテーブル装置。
【請求項４】
請求項２，３いずれか１項に記載のテーブル装置において、前記リンク体同士を連結して補強する連結補強部が設けられていることを特徴とするテーブル装置。
【請求項５】
請求項１〜４いずれか１項に記載のテーブル装置において、前記駆動機構の固定部材はネジ軸を回転させるモーターであり、前記移動部材は前記ネジ軸と螺合し該ネジ軸の回動に伴い往復移動するナット体であることを特徴とするテーブル装置。
【発明の詳細な説明】
【技術分野】
【０００１】
本発明は、テーブル装置に関するものである。
【背景技術】
【０００２】
従来から、ベースと、このベースに対して移動するテーブルと、テーブルを移動させる駆動機構と、ベース及びテーブルの間に設けられ、テーブルを縦湾曲移動させるための縦湾曲ガイド機構とを備えた傾斜テーブル装置が知られている。
【０００３】
ところで、傾斜テーブル装置の駆動機構として、例えば特許文献１に開示されるように、モーターと、モーターの回転軸に連結されたウオームとから成り、このウオームをテーブルの下面に設けたラックに噛合させ、動力を伝達させる構成がある。
【０００４】
しかしながら、ウオームとラック（ウオームギア）との間にはバックラッシュの問題があり、繰り返し使用するとウオームとラックとの噛み合い部分にすべりや摩耗が生じ、テーブルの移動精度が悪化するという問題点がある。
【先行技術文献】
【特許文献】
【０００５】
【特許文献１】特許第４４６４４９６号公報
【発明の概要】
【発明が解決しようとする課題】
【０００６】
本発明は、上述の問題点を解決したもので、すべりや摩耗に起因するテーブル体の移動精度の悪化が生じない画期的なテーブル装置を提供するものである。
【課題を解決するための手段】
【０００７】
添付図面を参照して本発明の要旨を説明する。
【０００８】
基体１と、この基体１に対して移動するテーブル体２と、前記テーブル体２を移動させる駆動機構３と、前記基体１及び前記テーブル体２の間に設けられ、前記テーブル体２を縦湾曲移動させるための縦湾曲ガイド機構４とを備えたテーブル装置であって、前記駆動機構３は、固定部材５と該固定部材５に対して移動する移動部材６とから成り、前記移動部材６と前記テーブル体２とはリンク機構７により連結され、このリンク機構７により前記移動部材６の移動に応じて前記テーブル体２が前記縦湾曲ガイド機構４によりガイドされて縦湾曲移動するように構成されていることを特徴とするテーブル装置に係るものである。
【０００９】
また、請求項１記載のテーブル装置において、前記リンク機構７を構成するリンク体８が前記移動部材６を挟むように一対設けられていることを特徴とするテーブル装置に係るものである。
【００１０】
また、請求項２記載のテーブル装置において、前記テーブル体２には前記リンク体８の一端部が軸着される連結部10が設けられ、前記リンク体８の他端部が前記移動部材６に軸着されていることを特徴とするテーブル装置に係るものである。
【００１１】
また、請求項２，３いずれか１項に記載のテーブル装置において、前記リンク体８同士を連結して補強する連結補強部27が設けられていることを特徴とするテーブル装置に係るものである。
【００１２】
また、請求項１〜４いずれか１項に記載のテーブル装置において、前記駆動機構３の固定部材５はネジ軸11を回転させるモーターであり、前記移動部材６は前記ネジ軸11と螺合し該ネジ軸11の回動に伴い往復移動するナット体であることを特徴とするテーブル装置に係るものである。
【発明の効果】
【００１３】
本発明は上述のように構成したから、すべりや摩耗に起因するテーブル体の移動精度の悪化が生じない画期的なテーブル装置となる。
【図面の簡単な説明】
【００１４】
【図１】本実施例の概略説明斜視図である。
【図２】本実施例のリンク機構を説明するためにテーブル体の一部を透かした概略説明斜視図である。
【図３】本実施例の動作を説明する概略説明断面図である。
【図４】別例の概略説明斜視図である。
【発明を実施するための形態】
【００１５】
好適と考える本発明の実施形態を、図面に基づいて本発明の作用を示して簡単に説明する。
【００１６】
駆動機構３の移動部材６を移動させると、この移動部材６の移動に伴いリンク機構７を介して連結されたテーブル体２も移動する。この際、テーブル体２の移動は、縦湾曲ガイド機構４により所定の縦湾曲方向にガイドされる。
【００１７】
よって、本発明によれば、駆動機構３の動力が、ウオームとラックとの噛み合いではなく、リンク機構７を介してテーブル体２に伝達されるから、テーブル体２と駆動機構３との間ですべりや摩耗が生ぜず、繰り返しテーブル体２を縦湾曲移動させても移動（テーブル体２の傾斜）精度の悪化が生じないことになる。
【実施例】
【００１８】
本発明の具体的な実施例について図面に基づいて説明する。
【００１９】
本実施例は、図１に図示したように、基体１と、この基体１に対して移動するテーブル体２と、前記テーブル体２を移動させる駆動機構３と、前記基体１及び前記テーブル体２の間に設けられ、前記テーブル体２を縦湾曲移動させるための縦湾曲ガイド機構４とを備えたテーブル装置において、前記駆動機構３は、固定部材５と該固定部材５に対して移動する移動部材６とから成り、前記移動部材６と前記テーブル体２とはリンク機構７により連結され、このリンク機構７により前記移動部材６の移動に応じて前記テーブル体２が前記縦湾曲ガイド機構４によりガイドされて縦湾曲移動するように構成されているものである。
【００２０】
縦湾曲ガイド機構４は、一般的な構成であり、基体１及びテーブル体２に夫々固定される負荷路構成材15，16に夫々対向するように設けられた一対の負荷溝で縦湾曲状の負荷路が構成され、この負荷路に円柱状の転動体及び転動体保持器が配設される構成である。図中、符号17は連結部10をテーブル体２に固定するため固定ネジ、18は負荷路構成材15，16をテーブル体２及び基体１に固定するための固定ネジ、19は転動体保持器の脱落を阻止するストッパー、20は基体１を取り付ける際に用いる取付用穴である。
【００２１】
具体的には、図２に図示したように、前記リンク機構７を構成する一枚板状のリンク体８が前記移動部材６を挟むように左右一対設けられている。また、前記テーブル体２の下面には前記リンク体８の一端部が回動自在に軸着される連結部10が設けられている。前記リンク体８の他端部は前記移動部材６に回動自在に軸着されている。
【００２２】
本実施例においては、リンク体８は、リンク体８の両端部に設けられる挿通孔及び連結部10若しくは移動部材６の挿通孔に夫々挿通配設される軸部９と、この軸部９の両端を受けるリンク体８の挿通孔に設けられた軸受28（ボール軸受）とにより、連結部10及び移動部材６に夫々回動自在に軸着されている。従って、軸部９と軸受28とにより移動部材６からの連結部10への力の伝達が抵抗なくスムーズに行われることになり、滑りや摩耗が生じない構成となる。
【００２３】
本実施例の駆動機構３はボールネジ機構であり、前記固定部材５はネジ軸11を回転させるモーターであり、前記移動部材６は前記ネジ軸11と螺合し該ネジ軸11の回動に伴い往復移動するナット体である。基体１の端面には、ネジ軸11を受ける軸受部12が設けられている。この軸受部12にはモーターを支持固定する支持柱13が設けられている。また、ネジ軸11はモーターの出力軸とカップリング14を介して連結されており、出力軸の回転に応じて回動する。ネジ軸11及び移動部材６は、負荷路構成材15間に配置される。
【００２４】
本実施例のナット体は、図２，３に図示したように、ネジ軸11と螺合するネジ孔が設けられた筒状部21と、前記ネジ孔と連通する孔部が形成された垂直板部22と、この垂直板部22にネジ軸11と平行に設けられリンク体８の他端部が軸着される水平部23とで構成されている。図中、符号24は水平部23を取り付けるための取付ネジ、25はテーブル体２の下面に設けられたリンク機構７や移動部材６を逃げる逃げ凹部、26は基体１の上面に設けられた移動部材６を逃げる逃げ凹部である。
【００２５】
従って、図３（ｂ）に示すテーブル体２を水平とした状態から、ネジ軸11を回転させ図３（ａ）のように移動部材６を連結部10に近接するように移動させると、移動部材６の移動に伴いリンク体８により連結部10及びテーブル体２が押されて縦湾曲ガイド機構４によりガイドされて左上がりに傾斜した状態となる。
【００２６】
同様に、図３（ｂ）に示すテーブル体２を水平とした状態から、ネジ軸11を回転させ図３（ｃ）のように移動部材６を連結部10から離間するように移動させると、移動部材６の移動に伴いリンク体８により連結部10及びテーブル体２が引き寄せられて縦湾曲ガイド機構４によりガイドされて右上がりに傾斜した状態となる。
【００２７】
また、移動部材６の移動に伴うテーブル体２の移動は、縦湾曲ガイド機構４の負荷溝に沿った移動となるため、リンク体８の一端部及び他端部の側面視における位置関係はどのような関係でも良いが、テーブル体２を水平とした状態（図３（ｂ）の状態）において、一端部側（テーブル体２側）が他端部側（移動部材６側）より上方位置に存在する位置関係となるように設定すると、よりスムーズにテーブル体２を縦湾曲移動（傾斜）させることができる。
【００２８】
なお、本実施例においては、リンク体８は一枚板状とし、連結部10及び移動部材６の左右両側にこれらを挟むように一対配置しているが、この際、図４に図示した別例のように、前記リンク体８同士を連結して補強する連結補強部27を設ける構成としても良い。この場合、リンク体８同士が連結されることで補強され、移動部材６の移動に伴うねじれ等による変形が生じ難い構成となる。
【００２９】
本実施例は上述のように構成したから、駆動機構３の移動部材６を移動させると、この移動部材６の移動に伴いリンク機構７を介して連結されたテーブル体２も移動し、この際、テーブル体２の移動は、縦湾曲ガイド機構４により所定の縦湾曲方向にガイドされる。
【００３０】
従って、駆動機構３の動力が、リンク機構７を介してテーブル体２に伝達されるから、テーブル体２と駆動機構３との間ですべりや摩耗が生ぜず、繰り返しテーブル体２を縦湾曲移動させても移動（テーブル体２の傾斜）精度の悪化が生じないことになる。
【００３１】
よって、本実施例は、すべりや摩耗に起因するテーブル体の移動精度の悪化が生じない画期的なテーブル装置となる。
【符号の説明】
【００３２】
１  基体
２  テーブル体
３  駆動機構
４  縦湾曲ガイド機構
５  固定部材
６  移動部材
７  リンク機構
８  リンク体
10  連結部
11  ネジ軸
27  連結補強部
【図１】
2018105493.tif 000003
【図２】
2018105493.tif 000004
【図３】
2018105493.tif 000005
【図４】
2018105493.tif 000006